(57)【要約】【課題】  後端導風セクションを具えたフィンモジュールの提供。【解決手段】  複数の相互に離間し並列に配置されたフィンを具え、各フィンの後部セクションに少なくとも一つの導風板と導風溝からなる後端導風セクションが設けられている。該導風板と導風溝の構造配置により、冷却気流がフィン入風口より進入し気流チャネルを通り後端導風セクションに進入する時、後端導風セクション中で該導風板と導風溝の導流により各フィン間の気流チャネルに乱流現象が発生し、高い冷却効率を発生する。【選択図】        図５
2005328012.tif 000002
【特許請求の範囲】
【請求項１】
後端導風セクションを具えたフィンモジュールにおいて、該フィンモジュールは複数のフィンが並列離間配置されてなり、各フィンの前端にフィン入風口が形成され、各フィンの後端にフィン出風口が形成され、各フィンの後端にフィン出風口が形成され、隣り合うフィンの間に気流チャネルが形成され、各フィンは、気流直通セクションと後端導風セクションを具え、
該気流直通セクションは該フィンのフィン入風口に近い前部に形成され、
該後端導風セクションは該フィンのフィン出風口に近い後部に形成され、該後端導風セクションは、第１傾斜方向に向けて延伸された少なくとも一つの第１導風板と該第１導風板に近接する第１導風溝と、第２傾斜方向に向けて延伸された少なくとも一つの第２導風板と該第２導風板に近接する第２導風溝とを具え、
該第１導風板及び第２導風板が第１延伸方向を以て該フィンの後端導風セクション中にあって離間配置され、冷却気流がフィン入風口より気流チャネルを通過してフィン出風口に至る時に、後端導風セクション中で第１導風板、第１導風溝、第２導風板、第２導風溝の導流により各フィン間の気流チャネル中で乱流を発生させて冷却機能を高めることを特徴とする、後端導風セクションを具えたフィンモジュール。
【請求項２】
請求項１記載の後端導風セクションを具えたフィンモジュールにおいて、各上端と底端に一側辺方向に延伸された水平板が設けられ、該水平板により、各フィンが並列離間配置される時に、隣り合うフィンの間に気流チャネルが形成されることを特徴とする、後端導風セクションを具えたフィンモジュール。
【請求項３】
請求項１記載の後端導風セクションを具えたフィンモジュールにおいて、フィンの後端導風セクション中の第１導風板の第１傾斜方向が第２導風板の第２傾斜方向と反対とされたことを特徴とする、後端導風セクションを具えたフィンモジュール。
【請求項４】
請求項１記載の後端導風セクションを具えたフィンモジュールにおいて、フィンの後端導風セクション中の第１導風板と第２導風板がフィンの板材を加圧加工してなることを特徴とする、後端導風セクションを具えたフィンモジュール。
【請求項５】
後端導風セクションを具えたフィンモジュールにおいて、該フィンモジュールは複数のフィンが並列離間配置されてなり、各フィンの前端にフィン入風口が形成され、各フィンの後端にフィン出風口が形成され、各フィンの後端にフィン出風口が形成され、隣り合うフィンの間に気流チャネルが形成され、各フィンは、気流直通セクションと後端導風セクションを具え、
該気流直通セクションは該フィンのフィン入風口に近い前部に形成され、
該後端導風セクションは該フィンのフィン出風口に近い後部に形成され、該後端導風セクションは、所定の傾斜方向に向けて延伸された少なくとも一つの導風板と該導風板に近接する導風溝を具え、冷却気流がフィン入風口より気流チャネルを通過してフィン出風口に至る時に、後端導風セクション中で導風板と導風溝の導流により各フィン間の気流チャネル中で乱流を発生させて冷却機能を高めることを特徴とする、後端導風セクションを具えたフィンモジュール。
【請求項６】
請求項５記載の後端導風セクションを具えたフィンモジュールにおいて、各上端と底端に一側辺方向に延伸された水平板が設けられ、該水平板により、各フィンが並列離間配置される時に、隣り合うフィンの間に気流チャネルが形成されることを特徴とする、後端導風セクションを具えたフィンモジュール。
【請求項７】
請求項５記載の後端導風セクションを具えたフィンモジュールにおいて、フィンの後端導風セクション中の導風板がフィンの板材を加圧加工してなることを特徴とする、後端導風セクションを具えたフィンモジュール。
【請求項８】
請求項５記載の後端導風セクションを具えたフィンモジュールにおいて、導熱カートリッジ、ファン、ヒートシンク、フィンモジュールを具え、
該導熱カートリッジは、上板と下板が相互に対応するよう結合されて内部にチャネルを具えた構造とされ、該上板と下板には相互に対応する中空セクションが設けられ、これによりファン位置決め溝座が形成され、
該ファンは、該ファン位置決め溝座に固定され、入風源を供給し、
該ヒートシンクは、導熱カートリッジの一端に形成され、
該フィンモジュールは、ヒートシンク中に取り付けられ、そのファン位置決め溝座に隣り合う一端がフィン入風口とされ、もう一端にフィン出風口が形成され、
並列離間配置された複数のフィンがフィンモジュール中に設けられ、各フィンの間にフィン入風口からフィン出風口に連通する気流チャネルが形成され、
各フィンは、気流直通セクションと後端導風セクションを具え、
該気流直通セクションは該フィンのフィン入風口に近い前部に形成され、
該後端導風セクションは該フィンのフィン出風口に近い後部に形成され、該後端導風セクションは、所定の傾斜方向に向けて延伸された少なくとも一つの導風板と該導風板に近接する導風溝を具え、冷却気流がフィン入風口より気流チャネルを通過してフィン出風口に至る時に、後端導風セクション中で導風板と導風溝の導流により各フィン間の気流チャネル中で乱流を発生させて冷却機能を高めることを特徴とする、後端導風セクションを具えたフィンモジュール。
【請求項９】
請求項８記載の後端導風セクションを具えたフィンモジュールにおいて、各上端と底端に一側辺方向に延伸された水平板が設けられ、該水平板により、各フィンが並列離間配置される時に、隣り合うフィンの間に気流チャネルが形成されることを特徴とする、後端導風セクションを具えたフィンモジュール。
【請求項１０】
請求項８記載の後端導風セクションを具えたフィンモジュールにおいて、フィンの後端導風セクションが、第１傾斜方向に向けて延伸された少なくとも一つの第１導風板と該第１導風板に近接する第１導風溝と、第２傾斜方向に向けて延伸された少なくとも一つの第２導風板と該第２導風板に近接する第２導風溝とを具えたことを特徴とする、導風フィン構造を具えたヒートシンクモジュール。
【請求項１１】
請求項８記載の後端導風セクションを具えたフィンモジュールにおいて、フィンの後端導風セクション中の導風板がフィンの板材を加圧加工してなることを特徴とする、後端導風セクションを具えたフィンモジュール。
【発明の詳細な説明】
【技術分野】
【０００１】
本発明は一種のフィンモジュールの構造に係り、特に導風フィン構造を具えたヒートシンクモジュールに関する。
【背景技術】
【０００２】
コンピュータテクノロジーは日進月歩であり、コンピュータ装置の消耗するエネルギーもますます大きくなっている。現在、コンピュータを数時間使用する時の電力及び放出する熱量は十分に大きく、このため優れた冷却装置を購入してコンピュータケース内に組付け、小型ファンでケース内の熱気を順調に対流させて冷却効果を達成する必要がある。
【０００３】
従来の冷却装置の技術を鑑みるに、フィンモジュールの設計はほとんどが直線式のチャネルを具え、コンピュータケース内の気流対流方式を形成し、気流は入風口より出風口に直線の導流方式を呈し、ケース内の気流とそれが通過するフィン側壁が十分な熱交換を行なえず、コンピュータケース内の冷却効率に影響を与え、このためコンピュータの各部品の信頼度と使用寿命を下げた。
【０００４】
十分な熱交換効率を達成するための通常の方法は、コンピュータケース内の各部品の材質、性能及び各部品の放出する熱量に応じた空間配置により、消耗する電力及び発生する熱量を減らす。業者はまたこの要求に対して各種のヒートシンクモジュールを提供している。
【０００５】
現在、ノートブック型コンピュータに一般に使用されているヒートシンクモジュールは、導熱カートリッジ、ファン、フィンモジュール、ヒートシンクを具え、導熱カートリッジは熱源装置（例えばＣＰＵ）の上面に結合される。該ファンは導熱カートリッジのファン位置決め溝座中に固定され、該フィンモジュールは導熱カートリッジのヒートシンク中に固定され、その内部に複数の気流チャネルが設けられ、該ファンの発生する冷却気流を通過させる。該ファンが回転する時に発生する気流はフィンモジュールの熱交換機能と組み合わされて、熱源装置の発生する熱エネルギーを放出させる。
【０００６】
各種タイプのコンピュータ用冷却フィン装置中、伝統的な構造は必ずしもコンピュータケース内で最良の冷却効果を達成できない。伝統的なフィンの設計は、直接或いは間接接触の方式で熱伝導を補助し、コンピュータのフィン装置が更に複雑となる。このため多くの改善の余地がある。
【０００７】
コンピュータのフィンモジュールに関する多くの周知の技術があるが、そのほとんどはフィンの発揮する冷却効果が有限である。
【０００８】
例えば、図１に示されるヒートシンクモジュールにおいて、フィンモジュールは複数の離間し並列に配置されたフィン１００で構成され、並びに隣接するフィン１００の間にフィン入風口１０１からフィン出風口１０２に連通する直線気流チャネル１０３が設けられている。ファンが回転し該ファンの羽根の切線方向に発生した外旋気流１０４はフィン入風口１０１より気流チャネル１０３に進入後、フィン１００の壁面の阻止を受けて乱気流１０５ａを形成し、一部分の気流が隣り合うフィンの壁面の影響を受けて分岐乱気流１０５ｂを形成し、この分岐乱気流１０５ｂが最後に乱気流１０５ａと共に集められて冷却気流１０５を形成する。このような伝統的なフィンモジュールの直線気流チャネル構造は、熱交換の目的を達成できるものの、乱気流現象を回避できず、その形成する風の抵抗は大きく、全体の冷却効率は不良で、且つ大きな騒音を発生しやすい。
【発明の開示】
【発明が解決しようとする課題】
【０００９】
このため、フィンモジュールに対して、導風構造を具えたフィンモジュールを設計すれば、使用者及び業者にとって非常に大きな実用価値を提供することになる。
【００１０】
ゆえに、本発明の目的は、フィンの構造を改良し、導風セクションをフィンに設けることでフィンに最良の冷却効果を達成させられるようにすることにある。
【００１１】
本発明の別の目的は、後端導風セクションを具えたフィンモジュールを提供し、フィンモジュール中の気流チャネル中に後端導風セクションを設け、これにより気流がフィン側壁を通過する時に、十分な熱交換を達成できるようにすることにある。
【００１２】
本発明によると、複数の相互に離間し並列に配置されたフィンを具え、各フィンの後部セクションに少なくとも一つの導風板と導風溝からなる後端導風セクションが設けられている。該導風板と導風溝の構造配置により、冷却気流がフィン入風口より進入し気流チャネルを通り後端導風セクションに進入する時、後端導風セクション中で該導風板と導風溝の導流により各フィン間の気流チャネルに乱流現象が発生し、高い冷却効率を発生する。
【課題を解決するための手段】
【００１３】
請求項１の発明は、後端導風セクションを具えたフィンモジュールにおいて、該フィンモジュールは複数のフィンが並列離間配置されてなり、各フィンの前端にフィン入風口が形成され、各フィンの後端にフィン出風口が形成され、各フィンの後端にフィン出風口が形成され、隣り合うフィンの間に気流チャネルが形成され、各フィンは、気流直通セクションと後端導風セクションを具え、
該気流直通セクションは該フィンのフィン入風口に近い前部に形成され、
該後端導風セクションは該フィンのフィン出風口に近い後部に形成され、該後端導風セクションは、第１傾斜方向に向けて延伸された少なくとも一つの第１導風板と該第１導風板に近接する第１導風溝と、第２傾斜方向に向けて延伸された少なくとも一つの第２導風板と該第２導風板に近接する第２導風溝とを具え、
該第１導風板及び第２導風板が第１延伸方向を以て該フィンの後端導風セクション中にあって離間配置され、冷却気流がフィン入風口より気流チャネルを通過してフィン出風口に至る時に、後端導風セクション中で第１導風板、第１導風溝、第２導風板、第２導風溝の導流により各フィン間の気流チャネル中で乱流を発生させて冷却機能を高めることを特徴とする、後端導風セクションを具えたフィンモジュールとしている。
請求項２の発明は、請求項１記載の後端導風セクションを具えたフィンモジュールにおいて、各上端と底端に一側辺方向に延伸された水平板が設けられ、該水平板により、各フィンが並列離間配置される時に、隣り合うフィンの間に気流チャネルが形成されることを特徴とする、後端導風セクションを具えたフィンモジュールとしている。
請求項３の発明は、請求項１記載の後端導風セクションを具えたフィンモジュールにおいて、フィンの後端導風セクション中の第１導風板の第１傾斜方向が第２導風板の第２傾斜方向と反対とされたことを特徴とする、後端導風セクションを具えたフィンモジュールとしている。
請求項４の発明は、請求項１記載の後端導風セクションを具えたフィンモジュールにおいて、フィンの後端導風セクション中の第１導風板と第２導風板がフィンの板材を加圧加工してなることを特徴とする、後端導風セクションを具えたフィンモジュールとしている。
請求項５の発明は、後端導風セクションを具えたフィンモジュールにおいて、該フィンモジュールは複数のフィンが並列離間配置されてなり、各フィンの前端にフィン入風口が形成され、各フィンの後端にフィン出風口が形成され、各フィンの後端にフィン出風口が形成され、隣り合うフィンの間に気流チャネルが形成され、各フィンは、気流直通セクションと後端導風セクションを具え、
該気流直通セクションは該フィンのフィン入風口に近い前部に形成され、
該後端導風セクションは該フィンのフィン出風口に近い後部に形成され、該後端導風セクションは、所定の傾斜方向に向けて延伸された少なくとも一つの導風板と該導風板に近接する導風溝を具え、冷却気流がフィン入風口より気流チャネルを通過してフィン出風口に至る時に、後端導風セクション中で導風板と導風溝の導流により各フィン間の気流チャネル中で乱流を発生させて冷却機能を高めることを特徴とする、後端導風セクションを具えたフィンモジュールとしている。
請求項６の発明は、請求項５記載の後端導風セクションを具えたフィンモジュールにおいて、各上端と底端に一側辺方向に延伸された水平板が設けられ、該水平板により、各フィンが並列離間配置される時に、隣り合うフィンの間に気流チャネルが形成されることを特徴とする、後端導風セクションを具えたフィンモジュールとしている。
請求項７の発明は、請求項５記載の後端導風セクションを具えたフィンモジュールにおいて、フィンの後端導風セクション中の導風板がフィンの板材を加圧加工してなることを特徴とする、後端導風セクションを具えたフィンモジュールとしている。
請求項８の発明は、請求項５記載の後端導風セクションを具えたフィンモジュールにおいて、導熱カートリッジ、ファン、ヒートシンク、フィンモジュールを具え、
該導熱カートリッジは、上板と下板が相互に対応するよう結合されて内部にチャネルを具えた構造とされ、該上板と下板には相互に対応する中空セクションが設けられ、これによりファン位置決め溝座が形成され、
該ファンは、該ファン位置決め溝座に固定され、入風源を供給し、
該ヒートシンクは、導熱カートリッジの一端に形成され、
該フィンモジュールは、ヒートシンク中に取り付けられ、そのファン位置決め溝座に隣り合う一端がフィン入風口とされ、もう一端にフィン出風口が形成され、
並列離間配置された複数のフィンがフィンモジュール中に設けられ、各フィンの間にフィン入風口からフィン出風口に連通する気流チャネルが形成され、
各フィンは、気流直通セクションと後端導風セクションを具え、
該気流直通セクションは該フィンのフィン入風口に近い前部に形成され、
該後端導風セクションは該フィンのフィン出風口に近い後部に形成され、該後端導風セクションは、所定の傾斜方向に向けて延伸された少なくとも一つの導風板と該導風板に近接する導風溝を具え、冷却気流がフィン入風口より気流チャネルを通過してフィン出風口に至る時に、後端導風セクション中で導風板と導風溝の導流により各フィン間の気流チャネル中で乱流を発生させて冷却機能を高めることを特徴とする、後端導風セクションを具えたフィンモジュールとしている。
請求項９の発明は、請求項８記載の後端導風セクションを具えたフィンモジュールにおいて、各上端と底端に一側辺方向に延伸された水平板が設けられ、該水平板により、各フィンが並列離間配置される時に、隣り合うフィンの間に気流チャネルが形成されることを特徴とする、後端導風セクションを具えたフィンモジュールとしている。
請求項１０の発明は、請求項８記載の後端導風セクションを具えたフィンモジュールにおいて、フィンの後端導風セクションが、第１傾斜方向に向けて延伸された少なくとも一つの第１導風板と該第１導風板に近接する第１導風溝と、第２傾斜方向に向けて延伸された少なくとも一つの第２導風板と該第２導風板に近接する第２導風溝とを具えたことを特徴とする、導風フィン構造を具えたヒートシンクモジュールとしている。
請求項１１の発明は、請求項８記載の後端導風セクションを具えたフィンモジュールにおいて、フィンの後端導風セクション中の導風板がフィンの板材を加圧加工してなることを特徴とする、後端導風セクションを具えたフィンモジュールとしている。
【発明の効果】
【００１４】
本発明の採用する技術手段により、ヒートシンクモジュールのフィンは最良の冷却効果を達成し、フィンとその後端導風セクションによりフィンモジュールがヒートシンクモジュールの冷却効率を大幅に増加し、且つ本発明は構造設計上、簡単で、快速に要求に符合するフィンモジュールを製造できる。
【発明を実施するための最良の形態】
【００１５】
図２は本発明の後端導風セクションを具えたフィンモジュールを具えたヒートシンクモジュールの立体分解図である。図３は図２中のヒートシンクモジュールの組合せ完成後の熱源装置への取付を示す立体分解図である。本発明のヒートシンクモジュール１は、導熱カートリッジ１０を具え、該導熱カートリッジ１０は上板１１と下板１２が相互に対応するよう結合されて内部にチャネルを具えた構造とされる。該上板１１と下板１２には相互に対応する中空セクションが設けられ、これによりファン位置決め溝座１３が形成され、ファン２が該ファン位置決め溝座１３に固定される。該ファン位置決め溝座１３の上板１１の上面が入風セクション１３１を構成し、該上板１１及び下板１２の間の開放側縁面に側面入風セクション１３２が形成される。
【００１６】
該導熱カートリッジ１０の一端面は装置接触セクション１４とされ、その底面が熱源装置３（例えばＣＰＵ或いはその他の集積回路装置）の上面に接触させられ、該熱源装置３の発生する熱エネルギーを該装置接触セクション１４より導熱カートリッジ１０に伝導する。
【００１７】
図４は図２中のヒートシンクモジュールの各関係部品の組合せ完成時の背面立体図である。該導熱カートリッジ１０の別端にはヒートシンク１５が形成され、並びにヒートシンク１５の内部空間にフィンモジュール４が嵌め込まれ、そのファン位置決め溝座１３に隣接する一端がフィン入風口４１とされ、外端部にフィン出風口４２が形成されている。該フィンモジュール４のフィン入風口４１からフィン出風口４２へと連通する気流チャネル４４が形成されている。
【００１８】
ファン２の発生する気流がフィンモジュール４のフィン入風口４１より各気流チャネル４４を通過し更にフィン出風口４２より導出される時、該フィンモジュール４は気流中の熱エネルギーを熱交換して冷却効果を達成する。
【００１９】
該フィンモジュールに良好な冷却効果を達成させるため、該装置接触セクション１４とヒートシンク１５の間にヒートパイプ５が埋め込まれて装置接触セクション１４の熱エネルギーを高い熱伝導機能の方式でヒートシンク１５に伝導する。
【００２０】
図５は本発明の第１実施例の後端導風セクションを具えたフィンモジュールの立体図である。図６は本発明の後端導風セクションを具えたフィンモジュールの立体分解図である。フィンモジュール４はヒートシンクモジュール１の導熱カートリッジ１０のヒートシンク１５中に結合される。本発明のフィンモジュール４は複数のフィン４３が並列離間配置されてなる。
【００２１】
各フィン４３は一定長さ延伸されている。該フィン４３の該フィン入風口４１に近い部分に気流直通セクション４３ａが設けられ、フィン出風口４２に近い後端に後端導風セクション４３ｂが形成されて冷却気流６を案内するのに用いられる（図７）。
【００２２】
各フィン４３の上端と下端に一側辺方向に延伸された水平板４５ａ、４５ｂが設けられ、該水平板４５ａ、４５ｂにより各フィン４３が並列離間配置される時、隣り合うフィン４３の側壁面の間に気流チャネル４４が形成される。
【００２３】
後端導風セクション４３ｂにあって、各フィン４３の同一側壁面に少なくとも一つの、第１傾斜方向Ｉに延伸された第１導風板４６と該第１導風板４６に近接する第１導風溝４６ａが形成されている。各フィン４３の各第１導風板４６と反対の側壁面に少なくとも一つの第２傾斜方向ＩＩに延伸された第２導風板４７と該第２導風板４７に近接する第２導風溝４７ａが形成されている。
【００２４】
該第１導風板４６と第２導風板４７は該後端導風セクション４３ｂにあって離間配置され、冷却気流６が該気流チャネル４４を通過する時、該後端導風セクション４３ｂ中で第１導風板４６、第１導風溝４６ａ、第２導風板４７、第２導風溝４７ａを経由して乱流を発生し、冷却効果を増す。
【００２５】
図示される実施例中、二つの第１導風板４６に一つの第２導風板４７が組み合わされているが、複数の第１導風板４６と第２導風板４７として気流チャネル４４の気流に多重の乱流を発生させれば、一つのフィンで行なわれる熱交換が更に効率的となる。
【００２６】
該フィン４３の後端導風セクション４３ｂ中の第１導風板４６と第１導風溝４６ａ、第２導風板４７と第１導風溝４６ａは、周知の板材の加圧成形技術により形成されうるが、当然その他の周知の方式で該導風板と該導風溝の構造を形成することも可能である。
【００２７】
図８は図７中のフィンの第１導風板、第１導風溝、第２導風板、第２導風溝の間の配置関係及び気流流通経路を示す拡大図である。それはフィン入風口４１より流入した冷却気流６が気流直通セクション４３ａを通り、気流チャネル４４に沿って後端導風セクション４３ｂに進入する状態を示す。
【００２８】
後端導風セクション４３ｂに進入した冷却気流６は、分岐して乱流経路気流６ａ及び直交経路気流６ｂを形成する。乱流経路気流６ａは第１導風板４６により第１導風溝４６ａより隣接する気流チャネル４４に進入後、乱流経路気流６ａは更に第２導風板４７と第２導風溝４７ａによりもとの気流チャネル４４中に導入されて直交経路気流６ｂと合流する。
【００２９】
その後、合流後の気流は続けて前進し、再度次の第１導風板４６に遭遇し、ゆえに気流は第１導風溝４６ａより隣接する気流チャネル４４中で第２次の乱流経路気流６ａを形成し、並びにフィン出風口４２より流出する。また、直交経路気流６ｂもまたフィン出風口４２より導出される。
【００３０】
上述の構造設計により、離間配置された隣り合う導風板の導風方向がちょうど反対方向の設計とされ、隣り合うフィンの間のフィン入風口からフィン出風口の気流チャネル内に複数の冷却気流が形成され、多重の気流衝撃により乱流現象が形成され、該乱流現象により各フィンの行なう熱交換が更に良好となり、高い冷却効率を達成する。
【００３１】
図９は本発明の第２実施例の導風板と導風溝間の配置関係と気流流通経路を示す拡大図である。この実施例中、大部分の構造設計は前述の実施例と同じであるため、同じ或いは類似の部品は同じ符号で表示している。この実施例でも同様に後端導風セクション４３ｂ中に第１導風板４６、第１導風溝４６ａ、第２導風板４７、第２導風溝４７ａが形成されるが、第１実施例の逆風傾斜方向から順風傾斜方向に延伸された構造形態とされている。この構造も同様に冷却気流６が気流チャネル４４を通過する時、後端導風セクション４３ｂ中で第１導風板４６、第１導風溝４６ａ、第２導風板４７、第２導風溝４７ａにより乱流、冷却効果を達成する。
【００３２】
以上の実施例から分かるように、本発明の提供する後端導風セクションを具えたフィンモジュールは実用価値を有し、従来の技術に較べて顕著に機能が向上されている。
【００３３】
なお、以上の実施例は本発明の請求範囲を限定するものではなく、以上の実施例及び図面の記載に基づきなしうる細部の修飾或いは改変は、いずれも本発明の請求範囲に属するものとする。
【図面の簡単な説明】
【００３４】
【図１】周知のヒートシンクモジュールの構造表示図である。
【図２】本発明の後端導風セクションを具えたフィンモジュールを具えたヒートシンクモジュールの立体分解図である。
【図３】図２中のヒートシンクモジュールの組合せ完成後の熱源装置への取付を示す立体分解図である。
【図４】図２中のヒートシンクモジュールの各関係部品の組合せ完成時の背面立体図である。
【図５】本発明の第１実施例の後端導風セクションを具えたフィンモジュールの立体図である。
【図６】本発明の第１実施例の後端導風セクションを具えたフィンモジュールの立体分解図である。
【図７】本発明の第１実施例の後端導風セクションを具えたフィンモジュールの平面図であり、フィンモジュール中の気流流通経路を示している。
【図８】図７中のフィンの第１導風板、第１導風溝、第２導風板、第２導風溝の間の配置関係及び気流流通経路を示す拡大図である。
【図９】本発明の第２実施例の導風板と導風溝間の配置関係と気流流通経路を示す拡大図である。
【符号の説明】
【００３５】
１００  フィン
１０１  フィン入風口
１０２  フィン出風口
１０３  直線気流チャネル
１０４  外旋気流
１０５ａ  乱気流
１０５ｂ  分岐乱気流
１０５  冷却気流
１  ヒートシンクモジュール
１０  導熱カートリッジ
１１  上板
１２  下板
１３  ファン位置決め溝座
１３１  入風セクション
１３２  側面入風セクション
１４  装置接触セクション
１５  ヒートシンク
２  ファン
３  熱源装置
４  フィンモジュール
４１  フィン入風口
４２  フィン出風口
４３  フィン
４４  気流チャネル
５  ヒートパイプ
４３ａ  気流直通セクション
４３ｂ  後端導風セクション
４５ａ  水平板
４５ｂ  水平板
４６  第１導風板
４６ａ  第１導風溝
４７  第２導風板
４７ａ  第２導風溝
６  冷却気流
６ａ  乱流経路気流
６ｂ  直交経路気流
【図１】
2005328012.tif 000003
【図２】
2005328012.tif 000004
【図３】
2005328012.tif 000005
【図４】
2005328012.tif 000006
【図５】
2005328012.tif 000007
【図６】
2005328012.tif 000008
【図７】
2005328012.tif 000009
【図８】
2005328012.tif 000010
【図９】
2005328012.tif 000011